(57)【要約】【課題】撮像素子及びＩＣ素子の発生熱に起因する回路基板の反りにより撮像素子と結像レンズとの間隔が変動することによる画像劣化が生じないようにする。【解決手段】撮像素子３４及びＩＣ素子１２８を回路基板３６の同一面に搭載させると共に、この回路基板３６を撮像素子３４の受光面が結像レンズ３８に対向するようにして基板保持板１１４の背面における窓部１１２の周辺に配設された突起部材１１６，１１８に当接させ、左右方向の両端部において固着部材１２０により基板保持板１１４に固着する。【選択図】図２
2008182306.tif 000002
【特許請求の範囲】
【請求項１】
光学系により読み取った原稿画像を結像レンズにより撮像素子の受光面に結像させるようにした画像読取装置であって、前記結像レンズが搭載されたレンズ載置板と、前記撮像素子と当該撮像素子の駆動回路を構成するＩＣ素子とが同一面に搭載された回路基板と、前記結像レンズに対向させて前記レンズ載置板に対し立設され、前記撮像素子の受光面を前記結像レンズに対向させるようにして前記回路基板を前記結像レンズとは反対側の背面において保持する基板保持板とを有し、前記回路基板が、前記基板保持板の背面における左右方向の両端部間に配設された突起部材に当接されると共に、前記両端部において固着部材により前記基板保持板に固着されて保持されてなる画像取込部を備えたことを特徴とする画像読取装置。
【請求項２】
前記基板保持板は、中央に窓部が形成されたものであり、前記撮像素子は、その受光面が前記窓部を介して前記結像レンズに対向するようにしたものであることを特徴とする請求項１記載の画像読取装置。
【請求項３】
前記突起部材は、少なくとも前記窓部周辺の上下方向の互いに対向する位置に配設されたものであることを特徴とする請求項２記載の画像読取装置。
【請求項４】
光学系により読み取った原稿画像を結像レンズにより撮像素子の受光面に結像させると共に、前記撮像素子により得た画像データに基づいて感光体ドラムに静電潜像の書き込みを行う画像形成装置であって、請求項１乃至３の何れかに記載の画像読取装置を備えたことを特徴とする画像形成装置。
【発明の詳細な説明】
【技術分野】
【０００１】
本発明は、光学系により読み取った原稿画像を結像レンズにより撮像素子の受光面に結像させるようにした画像読取装置、及び、この画像読取装置を備えた複写機、ファクシミリ装置、それらの機能を併せ持つ複合機などの画像形成装置に関する。
【背景技術】
【０００２】
近年、静電潜像が形成された感光体ドラムの表面にトナー像を形成し、このトナー像を記録紙に転写するようにした画像形成部を有する複写機やプリンタなどの画像形成装置が汎用されている。このような画像形成装置では、光学系により原稿面に光を照射することで読み取った原稿画像を結像レンズによりＣＣＤ（ＣｈａｒｇｅＣｏｕｐｌｅｄ Ｄｅｖｉｃｅ）などのラインセンサとしての撮像素子の受光面に結像させるようにした画像読取装置を備えている（例えば、特許文献１）。
【０００３】
このような構成になる画像形成装置に備わる画像読取装置では、例えば、上面図である図５に要部を概略的に示すように、撮像素子２００を回路基板２０２に搭載するにあたって、撮像素子２００と回路基板２０２との間に剛性材料からなる基板保持板２０４を介在させ、回路基板２０２の長手方向における両端部でねじ部材２０６により回路基板２０２を基板保持板２０４に固着する構成とされている。
【０００４】
このように構成された画像読取装置では、駆動時における撮像素子２００からの発生熱により加熱されて回路基板２０２の撮像素子２００側である表面側の伸張量が背面側の伸張量よりも多くなることで、回路基板２０２の撮像素子２００側が凸状となる図示の矢印方向に生じる反りが、撮像素子２００と回路基板２０２との間に介在される基板保持板２０４により抑制されることになる。これにより、駆動時における撮像素子２００と結像レンズとの間隔が組立調整時に比べて大きく変動することがないので、回路基板２０２の反りにより生じる画像劣化を防止することができる。
【特許文献１】特開２００２−１７１３８７号公報
【発明の開示】
【発明が解決しようとする課題】
【０００５】
しかしながら、上記従来の画像読取装置において、回路基板２０２の撮像素子２００側が凸状となる反りは抑制することができるとはいうものの、撮像素子２００と基板保持板２０４との間には回路基板２０２の組み立て時に若干の隙間が不可避的に生じてしまうことから、回路基板２０２の背面側に撮像素子２００の駆動回路を構成するＩＣ素子２０８が搭載されていて当該ＩＣ素子２０８の発生熱により回路基板２０２の撮像素子２００側とは反対側である背面側の伸張量が表面側の伸張量よりも多くなる場合には撮像素子２００側が凹状となる図示の矢印方向とは逆方向の反りが生じることになり、駆動時における撮像素子２００と結像レンズとの間隔が組立調整時に比べて変動することになる結果、回路基板２０２の反りによる画像劣化が生じるという問題があった。
【０００６】
本発明は、このような事情に鑑みてなされたもので、撮像素子やＩＣ素子などの発生熱に起因する回路基板の反りによる画像劣化の生じない画像読取装置及び画像形成装置を提供することを目的とする。
【課題を解決するための手段】
【０００７】
上記目的を達成するため、請求項１の発明は、光学系により読み取った原稿画像を結像レンズにより撮像素子の受光面に結像させるようにした画像読取装置であって、前記結像レンズが搭載されたレンズ載置板と、前記撮像素子と当該撮像素子の駆動回路を構成するＩＣ素子とが同一面に搭載された回路基板と、前記結像レンズに対向させて前記レンズ載置板に対し立設され、前記撮像素子の受光面を前記結像レンズに対向させるようにして前記回路基板を前記結像レンズとは反対側の背面において保持する基板保持板とを有し、前記回路基板が、前記基板保持板の背面における左右方向の両端部間に配設された突起部材に当接されると共に、前記両端部において固着部材により前記基板保持板に固着されて保持されてなる画像取込部を備えたことを特徴としている。
【０００８】
請求項２の発明は、請求項１に係るものにおいて、前記基板保持板が、中央に窓部が形成されたものであり、前記撮像素子が、その受光面が前記窓部を介して前記結像レンズに対向するようにしたものであることを特徴としている。
【０００９】
請求項３の発明は、請求項２に係るものにおいて、前記突起部材が、少なくとも前記窓部周辺の上下方向の互いに対向する位置に配設されたものであることを特徴としている。
【００１０】
請求項４の発明は、光学系により読み取った原稿画像を結像レンズにより撮像素子の受光面に結像させると共に、前記撮像素子により得た画像データに基づいて感光体ドラムに静電潜像の書き込みを行う画像形成装置であって、請求項１乃至３の何れかに記載の画像読取装置を備えたことを特徴としている。
【発明の効果】
【００１１】
請求項１の発明によれば、同一面に撮像素子及びＩＣ素子が搭載された回路基板を基板保持板の背面の突起部材に当接させて保持させるようにしているので、回路基板の撮像素子及びＩＣ素子側が凸状となるような反りの発生を抑制することができ、撮像素子及びＩＣ素子の発生熱に起因する回路基板の反りによる画像劣化の生じない画像読取装置を実現することができる。
【００１２】
請求項２の発明によれば、基板保持板が中央に窓部が形成され、撮像素子の受光面を窓部を介して結像レンズに対向するようにしているので、撮像素子は回路基板と基板保持板との間に位置することになり、撮像素子の受光面を基板保持板により保護することができて信頼性に優れた画像読取装置を実現することができる。
【００１３】
請求項３の発明によれば、少なくとも窓部周辺の上下方向の互いに対向する位置に突起部材が配設されていることで、回路基板の撮像素子及びＩＣ素子側が凸状となるような反りの発生を確実に抑制することができ、撮像素子及びＩＣ素子の発生熱に起因する回路基板の反りによる画像劣化の生じない画像読取装置を実現することができる。
【００１４】
請求項４の発明によれば、同一面に撮像素子及びＩＣ素子が搭載された回路基板を基板保持板の背面の突起部材に当接させて保持させるようにしているので、回路基板の撮像素子及びＩＣ素子側が凸状となるような反りの発生を抑制することができ、撮像素子及びＩＣ素子の発生熱に起因する回路基板の反りによる画像劣化の生じない画像形成装置を実現することができる。
【発明を実施するための最良の形態】
【００１５】
図１は、本発明の一実施形態に係る画像読取装置が適用される画像形成装置の概略構成を説明するための内部構成図である。この図において、画像形成装置１０は、光を電気信号に変換する撮像素子により取り込んだ原稿画像に基づいて記録紙に対し画像を形成するようにした複写機を構成するものであり、原稿画像を読み取る画像読取部１２と、画像読取部１２の上方に位置する原稿載置部１４と、画像読取部１２の下方に位置する画像形成部１６とを備えている。
【００１６】
画像読取部１２は、画像読取装置を構成するもので、第１光学系１８と、第２光学系２０と、画像取込部２２とを備えている。第１光学系１８は、原稿面に光を照射して原稿画像を読み取るためのものであり、ハロゲンランプなどからなる露光光源２４と、露光光源２４の光を原稿面に照射する反射板２６と、露光光源２４により照射されることで得られた原稿面からの反射光を水平方向に向けることにより第２光学系２０に導く反射ミラー２８とを一体に備えている。
【００１７】
第２光学系２０は、第１光学系１８の図中左方に配設され、第１光学系１８により得た原稿面からの反射光を画像取込部２２に導くものであり、第１光学系１８の反射ミラー２８で反射された原稿面からの反射光を画像取込部２２に導く第１反射ミラー３０及び第２反射ミラー３２を備えている。これら第１、第２反射ミラー３０、３２は、第１光学系１８の反射ミラー２８で反射された原稿面からの反射光を第１反射ミラー３０で受光して第２反射ミラー３２に導くと共に、第２反射ミラー３２で反射された原稿面からの反射光を水平方向に向けることで画像取込部２２に導くように構成されている。
【００１８】
画像取込部２２は、第２光学系２０の図中右方に配設され、光を電気信号に変換することで反射光からなる原稿画像を読み込むＣＣＤ（ＣｈａｒｇｅＣｏｕｐｌｅｄ Ｄｅｖｉｃｅ）からなるラインセンサとしての撮像素子３４が搭載された回路基板３６と、回路基板３６よりも第２光学系２０側に配設され、第２光学系２０により導かれた反射光からなる原稿画像を撮像素子３４の受光面に結像させる結像レンズ３８とを備えたものである。なお、撮像素子３４で読み取られた原稿画像は所定の信号処理が施された後にデジタル信号に変換され、図略の記憶素子に記憶されるようになっている。この画像取込部２２の具体的構成例については後述する。
【００１９】
また、画像読取部１２の上部には、第１光学系１８及び第２光学系２０を原稿載置部１４における図中左端位置と図中右端位置間においてガイドする一対のガイドレール４０（図中では一方のみ図示）が幅方向（図中の奥行き方向）両端に配設されており、第１光学系１８及び第２光学系２０がガイドレール４０に係合され、図略の駆動モータによりガイドレール４０に沿って往復動するように構成されている。
【００２０】
原稿載置部１４は、画像読取部１２の上部に装着されたコンタクトガラス４２と、このコンタクトガラス４２上面において開閉する原稿押え部４４と、この原稿押え部４４の上方に配設された自動原稿給送部４６とを備えている。ここで、コンタクトガラス４２は、自動原稿給送部４６により搬送される原稿が通過する第１コンタクトガラス４８及び静止原稿が載置される第２コンタクトガラス５０とから構成されている。なお、原稿押え部４４は、その上面が自動原稿給送部４６に載置される原稿束の排出部を構成している。
【００２１】
自動原稿給送部４６は、所定位置に載置された原稿束を１枚ずつ順に第１コンタクトガラス４８上に自動給送する一方、読み取りの終了した原稿を順に原稿押え部４４上面の排出部に戻すようにしたものである。
【００２２】
画像形成部１６は、レーザスキャナユニット５２と、像形成部５４と、定着部５６と、用紙搬送部５８とから構成されている。レーザスキャナユニット５２は、上記の図略の記憶素子から読み出された撮像素子３４で読み取った原稿画像を後述する感光体ドラム７０に露光するためのものであり、その読み出された画像データに基づいて生成された変調信号をレーザビームに変換して出力するレーザ発光部６０と、このレーザ発光部６０から出力されるレーザビームを後述する感光体ドラム７０に向けて反射するための回転多面体であるポリゴンミラー６２と、ポリゴンミラー６２により反射されたレーザビームの歪みを補正するためのｆθレンズ６４と、ポリゴンミラー６２により反射され、ｆθレンズ６４により補正されたレーザビームを感光体ドラム７０の露光位置に導く反射ミラー６６とを備えている。
【００２３】
ここで、ポリゴンミラー６２は、図略のポリゴンモータにより所定方向に一定速度で回転駆動され、レーザ発光部６０から出力されるレーザビームを反射するミラー面の角度が順次変化することにより、レーザビームを感光体ドラム７０の幅方向に走査させるように構成されている。すなわち、ポリゴンミラー６２は、レーザ発光部６０から出力されるレーザビームを偏光して感光体ドラム７０に照射することで静電潜像の書き込みを行うようにしたものである。
【００２４】
像形成部５４は、定速回転される感光体ドラム７０を備えると共に、この感光体ドラム７０の周面に沿って帯電器７２と、現像部７４と、クリーニング部７６と、光照射部７８とを順に備えている。感光体ドラム７０は、図略の駆動モータにより図示の時計方向（矢印方向）に回転駆動されるものであり、帯電器７２と対向する位置で静電領域が形成され、この静電領域にレーザスキャナユニット５２から原稿画像に基づいて出力されるレーザビームが照射されることで静電潜像が形成され、現像部７４と対向する位置で静電潜像がトナー像に現像される。感光体ドラム７０の下方には転写ローラ８２が配設されており、トナー像が形成された感光体ドラム７０は、その転写ローラ８２と対向する位置で記録紙にトナー像を転写する。記録紙にトナー像を転写し終えた感光体ドラム７０は、クリーニング部７６と対向する位置で表面に残留しているトナーが除去され、光照射部７８で感光体ドラム７０表面に残留している電荷が除去される。
【００２５】
帯電器７２は、例えば、感光体ドラム７０の幅方向の長さを有する帯電ワイヤ８４を備えたものであり、帯電ワイヤ８４に図略の駆動電源から駆動電圧を印加して感光体ドラム７０に電荷を付与することで感光体ドラム７０の表面に静電領域を形成する。現像部７４は、例えば、トナーとキャリアとからなる２成分系の現像剤を使用するものであり、内部に現像剤が装填される現像本体部８６と、感光体ドラム７０に近接した状態で現像本体部８６に内装された現像ローラ８８と、現像本体部８６の上部に装着されたトナーカートリッジ９０とを備えたものである。
【００２６】
現像本体部８６は、図略の攪拌ローラなどを内部に備えており、現像剤を攪拌することでキャリアとトナーとが摩擦され、これによりトナーが帯電されるようにしたものである。現像ローラ８８は、図略の駆動電源から駆動電圧が供給されることで表面が帯電した状態とされるもので、この現像ローラ８８の表面に静電的に付着されたトナーを感光体ドラム７０の表面に付着させるものである。トナーカートリッジ９０は、現像本体部８６内に補給するトナーが充填されたものである。
【００２７】
光照射部７８は、除電部を構成するもので、発光ダイオードなどの半導体発光素子を含んで構成された半導体発光素子列の各発光面を感光体ドラム７０の表面に向けると共に、感光体ドラム７０の軸心方向に沿って配設されたものである。
【００２８】
定着部５６は、像形成部５４でトナー像が転写された記録紙を加熱することにより定着処理を行うものであり、熱遮蔽ボックス９４内の上部に配設され、内蔵されたヒータにより加熱される定着ローラ９６と、熱遮蔽ボックス９４内の下部に配設され、定着ローラ９６に圧接される加圧ローラ９８とを備えたものである。
【００２９】
用紙搬送部５８は、記録紙を矢印Ａで示す経路に沿って搬送するものであり、所定サイズの記録紙が集積された状態で収納される給紙カセットＰＣを装填するカセット装填部１０２と、このカセット装填部１０２に装填された給紙カセットＰＣ内から図略の給紙ローラにより引き出された記録紙を感光体ドラム７０に導く上流側搬送路１０４と、感光体ドラム７０でトナー像が転写された記録紙を定着部５６の定着ローラ９６及び加圧ローラ９８間を経由させて図中左方に取り付けられた排出トレー１０６に導く下流側搬送路１０８とを備えている。
【００３０】
図２は、上述した画像取込部２２の具体的構成例を説明するための斜視図であり、図３は、図２のＡ−Ａ線における断面側面図である。この画像取込部２２は、金属材料や樹脂材料などからなる平板状のレンズ載置板１１０と、このレンズ載置板１１０の一方端部の端面にねじ止めなどにより固着されて一対的に立設され、中央に撮像素子３４よりも大きな形状を有する貫通孔からなる窓部１１２の形成された金属や硬質樹脂などの剛性材料からなる基板保持板１１４とを備えている。
【００３１】
このレンズ載置板１１０には、第２の光学系２０側である他方の端部近傍に結像レンズ３８が搭載されている。また、基板保持板１１４には、図２とは逆方向の背面から見た図である図４にも示されているように、結像レンズ３８に対向する面とは反対側の面である背面において、レンズ載置板１１０の面方向である左右方向における窓部１１２周辺の互いに対向する位置に一対の突起部材１１６が形成されると共に、レンズ載置板１１０に対し接離する方向である上下方向における窓部１１２周辺の互いに対向する位置であって、窓部１１２の中央位置に一対の突起部材１１８が形成されており、結像レンズ３８の側とは反対側の面である背面に回路基板３６が撮像素子３４の受光面を窓部１１２を介して結像レンズ３８と対向させるようにして一対の突起部材１１６及び一対の突起部材１１８にそれぞれ当接した状態で保持されている。
【００３２】
すなわち、回路基板３６は、樹脂材料などで構成され、撮像素子３４が複数のピン端子１２６を回路基板３６の挿入孔に挿通させて配線パターンに半田などの導電性固着剤により接続されると共に、撮像素子３４の搭載された同一面に、撮像素子３４を駆動する駆動回路を構成する複数のＩＣ素子１２８が複数のピン端子１３０を回路基板３６の挿通孔に挿通させて半田などの導電性固着剤により配線パターンに接続されたものであり、各突起部材１１６、１１８に当接された状態で、レンズ載置板１１０の面方向である左右方向の両端部においてネジなどの一対の固着部材１２０により固着されることで基板保持板１１４に保持されている。このように、本実施形態では、各突起部材１１６、１１８は、一対の固着部材１２０間である両端部間に位置して配設されることになる。
【００３３】
上記のように構成された画像形成装置１０は、次のように動作する。すなわち、原稿束を自動原稿給送部４６に載置する一方、図略の操作盤で画像形成部数を設定すると共に、画像形成濃度、画像形成倍率などを設定した後に図略のスタートボタンをオン操作することで原稿が第１コンタクトガラス４８上に順次搬送され、第１コンタクトガラス４８上を通過する。このとき、第１コンタクトガラス４８に対応する位置に停止している露光光源２４により原稿面に光が照射されることで得られた原稿面からの反射光が第１光学系１８及び第２光学系２０を介して回路基板３６に搭載された撮像素子３４に導かれることで原稿画像が読み取られ、図略の記憶素子に記憶される。第１コンタクトガラス４８上を通過した原稿は原稿押え部４４上面の排出部に排出される。
【００３４】
原稿が書籍等のように綴じられたものである場合などには、原稿押え部４４を開けてその原稿を第２コンタクトガラス５０上に載置する一方、図略の操作盤で画像形成部数を設定すると共に、画像形成濃度、画像形成倍率などを設定した後に図略のスタートボタンをオン操作することで露光光源２４が原稿面を走査し、原稿面に光が照射されることで得られた原稿面からの反射光が第１光学系１８及び第２光学系２０を介して回路基板３６に搭載された撮像素子３４に導かれて読み取られ、図略の記憶素子に記憶される。
【００３５】
一方、帯電器７２により感光体ドラム７０の表面が帯電され、図略の記憶素子に記憶された原稿画像に応じたレーザビームが発射されてポリゴンミラー６２により偏光されて照射されることで感光体ドラム７０の表面が露光されることにより静電潜像が形成される。次いで、現像部７４から感光体ドラム７０に供給されるトナーが静電潜像に付着することで感光体ドラム７０の表面にトナー像が形成される。
【００３６】
そして、給紙カセットＰＣに収納された記録紙が、図略の給紙ローラによって上流側搬送路１０４を介してレジストローラ対側に給紙されると共に、上記静電潜像の形成と同期してレジストローラ対により感光体ドラム７０と転写ローラ８２との間に搬送される。この感光体ドラム７０と転写ローラ８２との間に搬送された記録紙は、静電潜像の極性とは逆極性の電圧が印加された転写ローラ８２により感光体ドラム７０のトナー像が転写され、その後に感光体ドラム７０から分離されて下流側搬送路１０８を介して定着部５６に搬送され、定着処理が行われた後に排出トレー１０６に排出される。
【００３７】
トナー像を転写し終えた感光体ドラム７０は、クリーニング部７６で表面に残留しているトナーが除去される一方、光照射部７８で感光体ドラム７０の表面に残留している電荷が除去される。そして、これらの動作が順次繰り返されることで所定枚数の記録紙に対する画像形成が実行される。
【００３８】
本発明の画像読取装置が適用される画像形成装置１０では、上記実施形態で説明したように、画像読取部１２を構成する画像取込部２２が、同一面に撮像素子３４とＩＣ素子１２８とが搭載された回路基板３６を基板保持板１１４の背面における左右方向の両端部間に配設された突起部材１１６、１１８に当接させた状態で、その両端部において固着部材１２０により基板保持板１１４に固着して保持したものであるため、撮像素子３４及びＩＣ素子１２８で加熱されることにより生じる回路基板３６の反りが効果的に抑制されることになる結果、撮像素子３４及びＩＣ素子１２８の発生熱に起因する回路基板３６の反りにより生じる画像劣化が効果的に抑制されることになる。
【００３９】
すなわち、回路基板３６が撮像素子３４及びＩＣ素子１２８からの発生熱により加熱され、撮像素子３４及びＩＣ素子１２８側である表面側の伸張量が背面側の伸張量よりも多くなることで撮像素子３４及びＩＣ素子１２８側が凸状となるような反りが生じようとする場合でも、回路基板３６が基板保持板１１４の突起部材１１６、１１８に当接した状態で固着されていることから回路基板３６の変形作用が突起部材１１６、１１８に遮られることで反りの発生が抑制される一方、回路基板３６の背面側の伸張量が表面側の伸張量よりも多くなることがないことから、駆動時における撮像素子３４と結像レンズ３８との間隔が組立調整時と同じ状態に保持されることで、撮像素子３４及びＩＣ素子１２８の発生熱に起因する回路基板３６の反りによる画像劣化が効果的に抑制されることになる。
【００４０】
また、本発明の画像読取装置が適用される画像形成装置１０では、ＩＣ素子１２８が突起部材１１６、１１８により回路基板３６と基板保持板１１４との間に形成される空間に位置することになり、ＩＣ素子１２８が基板保持板１１４で保護されることで破損することがない信頼性に優れたものとなる。
【００４１】
なお、本発明に係る画像読取装置が適用される画像形成装置１０は、上記実施形態のものに限定されるものではなく、例えば、以下に述べるような種々の変形態様を必要に応じて採用することができる。
【００４２】
（１）上記実施形態では、基板保持板１１４は、中央に窓部１１２の形成されたものであるが、これに限るものではない。例えば、基板保持板１１４は、中央に窓部１１２の形成されていないものであってよい。この場合、撮像素子３４は、基板保持板１１４の結像レンズ３８側に位置することになり、ピン端子１２６が基板保持板１１４を貫通して回路基板３６の背面の配線パターンに接続されることになる。基板保持板１１４が金属材料で構成されている場合は、ピン端子１２６を貫通させる貫通孔を大きめに形成するなどしてピン端子１２６との電気的絶縁を保持する必要がある。なお、基板保持板１１４が、中央に窓部１１２が形成されたものである場合では、基板保持板１１４とは独立して回路基板３６を組み立てることができるので、その組み立て作業が容易となる。
【００４３】
（２）上記実施形態では、回路基板３６は、左右方向の両端部の位置で基板保持板１１４に対し固着部材１２０により固着されたものであるが、これに限るものではない。例えば、左右方向の両端部の位置でスペーサを介して接着剤などで固着するようにすることもできる。また、固着部材１２０により固着する場合であっても、回路基板３６と基板保持板１１４との間にスペーサを介在させ、固着部材１２０をスペーサ内に挿通させて固着するようにすることもできる。
【００４４】
（３）上記実施形態では、基板保持板１１４は、剛性材料で構成されたものであるが、これに限るものではない。例えば、基板保持板１１４がレンズ載置板１１０に確実に固定されている場合などでは、軟質樹脂材料などで構成することも可能である。
【００４５】
（４）上記実施形態では、基板保持板１１４は、レンズ載置板１１０の一方端部の端面に固着されて立設されたものであるが、これに限るものではない。例えば、レンズ載置板１１０の一方端部の上面にねじ部材などで固着する構成とすることもできる。要は、レンズ載置板１１０に対し立設されておればよい。
【００４６】
（５）上記実施形態では、窓部１１２周辺に一対の突起部材１１６と一対の突起部材１１８とを配設するようにしているが、これに限るものではない。例えば、少なくとも、窓部１１２周辺の上下方向の互いに対向する位置に一対の突起部材１１８が配設されておればよい。また、一対の突起部材１１６と一対の突起部材１１８とに加えて、さらに別の突起部材を配設するようにすることもできる。
【００４７】
（６）上記実施形態では、一対の突起部材１１８が窓部１１２周辺の中央位置に配設されているが、これに限るものではない。例えば、上下方向の一対の突起部材１１８は、窓部１１２の中央位置からずれた位置に配設されていてもよい。
【図面の簡単な説明】
【００４８】
【図１】本発明の一実施形態に係る画像読取装置が適用される画像形成装置の概略構成を説明するための内部構成図である。
【図２】図１に示す画像形成装置の画像取込部の具体的構成例を説明するための斜視図である。
【図３】図２に示す画像取込部のＡ−Ａ線における断面側面図である。
【図４】図１に示す画像形成装置の画像取込部を構成する基板保持板の背面から見た要部斜視図である。
【図５】従来例の画像読取装置の一部を示す上面図である。
【符号の説明】
【００４９】
１０  画像形成装置
１２  画像読取部（画像読取装置）
２２  画像取込部
３４  撮像素子
３６  回路基板
３８  結像レンズ
１１０  レンズ載置板
１１２  窓部
１１４  基板保持板
１１６  突起部材
１１８  突起部材
１２０  固着部材
【図１】
2008182306.tif 000003
【図２】
2008182306.tif 000004
【図３】
2008182306.tif 000005
【図４】
2008182306.tif 000006
【図５】
2008182306.tif 000007